(57)【特許請求の範囲】
【請求項１】
リニアガイド（２）を取付け面（３）に対して複数の固定ねじ（４）により取付けるためのリニアガイド取付けジグ（１）において、
取付け面（３）に固定されている複数の位置決めピン（１７）に対してジグ本体（５）の複数の位置決め孔（１８）を着脱自在に嵌まり合わせ、取付け面（３）に対してジグ本体（５）を位置決め可能とするとともに、ジグ本体（５）にリニアガイド収容空間（６）を設け、このリニアガイド収容空間（６）の向き合う壁面のうち一方の壁面に基準面（７）を、他方の壁面に斜面（８）をそれぞれ形成し、斜面（８）に対してくさび（９）の斜面（１０）を当接させ、くさび（９）の締め付け面（１１）と基準面（７）との間にリニアガイド（２）を収納する空間を残しながら、締め付け面（１１）を基準面（７）に対向させ、さらに、ジグ本体（５）に回転自在に設けた締め付けボルト（１２）によりくさび（９）を締め付け方向に移動可能としてなり、
リニアガイド取付けジグ（１）をリニアガイド（２）の取付け面（３）に位置決め状態で取付けてから、リニアガイド収容空間（６）の基準面（７）とくさび（９）の締め付け面（１１）との間にリニアガイド（２）を介在させ、締め付けボルト（１２）によりくさび（９）を締め付け方向に移動させることにより、基準面（７）と締め付け面（１１）との間でリニアガイド（２）を挟み込んで、リニアガイド（２）を矯正し、矯正状態でリニアガイド（２）を取付け面（３）に対して複数の固定ねじ（４）により取付けることを特徴とするリニアガイド取付けジグ（１）。
【発明の詳細な説明】
【０００１】
【発明の属する技術分野】
本発明は、リニアガイドを取付け面に対して複数の固定ねじにより取付けるためのリニアガイド取付けジグに関する。
【０００２】
【従来の技術】
一般に、リニアガイド自体に反り、ねじれがある。そのため、組み付け部品のリニアガイドの取付け場所に、基準ガイドなどの加工を施し、この基準ガイドにリニアガイドを押し当てて直線精度を出すか、または組み付け部品のリニアガイドの取付け場所に、複数の基準ピンを設け、複数の基準ピンに対してリニアガイドを押し当て、このリニアガイドとガイドとの間で測定器具を用いて、平行度の確認をしながら、リニアガイドを部品に取付けるなどを行い、直線精度を出す必要があった。
【０００３】
【発明が解決しようとする課題】
従来の手段では、組み付け部品自体に特別なの加工が必要となり、また、特殊な部品のコストがかさむことから、製造コストが高くなること、またリニアガイドの組み付けが煩雑となり、時間がかかるという欠点がある。
【０００４】
したがって、本発明の目的は、リニアガイドを取付ける場所ごとに、基準ガイドの加工を施す代わりに、ジグを使用することにより、リニアガイドを取付ける部品自体の加工を少なくし、またそれに伴う基準部品を不必要にできるようにすることである。
【０００５】
【課題を解決するための手段】
上記目的のもとに、本発明は、リニアガイド（２）を取付け面（３）に対して複数の固定ねじ（４）により取付けるためのリニアガイド取付けジグ（１）において、取付け面（３）に固定されている複数の位置決めピン（１７）に対してジグ本体（５）の複数の位置決め孔（１８）を着脱自在に嵌まり合わせ、取付け面（３）に対してジグ本体（５）を位置決め可能とするとともに、ジグ本体（５）にリニアガイド収容空間（６）を設け、このリニアガイド収容空間（６）の向き合う壁面のうち一方の壁面に基準面（７）を、他方の壁面に斜面（８）をそれぞれ形成し、斜面（８）に対してくさび（９）の斜面（１０）を当接させ、くさび（９）の締め付け面（１１）と基準面（７）との間にリニアガイド（２）を収納する空間を残しながら、締め付け面（１１）を基準面（７）に対向させ、さらに、ジグ本体（５）に回転自在に設けた締め付けボルト（１２）によりくさび（９）を締め付け方向に移動可能としている。
【０００６】
上記構成のリニアガイド取付けジグ（１）において、リニアガイド取付けジグ（１）をリニアガイド（２）の取付け面（３）に位置決め状態で取付けてから、リニアガイド収容空間（６）の基準面（７）とくさび（９）の締め付け面（１１）との間にリニアガイド（２）を介在させ、締め付けボルト（１２）によりくさび（９）を締め付け方向に移動させることにより、基準面（７）と締め付け面（１１）との間でリニアガイド（２）を挟み込んで、リニアガイド（２）を矯正してから、矯正状態でリニアガイド（２）を取付け面（３）に対して複数の固定ねじ（４）により取付ける。
【０００７】
【発明の実施の形態】
図１ないし図３は、本発明のリニアガイド取付けジグ１を示す。リニアガイド取付けジグ１は、リニアガイド２を取付け部品の取付け面３に対して複数の固定ねじ４により取付けるために、ジグ本体５、くさび９および締め付けボルト１２を備えている。
【０００８】
この例で、ジグ本体５は、複数のリニアガイド２を取付け面３に対しＴ字状に取付けるために、全体として、Ｔ字状に構成されており、取付け面３と向き合う位置で、リニアガイド収容空間６を備え、このリニアガイド収容空間６の向き合う壁面のうち一方の壁面に基準面７を、他方の壁面に斜面８をそれぞれ形成している。なお、この例で、ジグ本体５は、２つのプレート１３、１４を重ね合わせた状態として、複数の取付けねじ１５によって組み立てられている。また、これらのプレート１３、１４は、角度ジグ１６によって直角の状態で組み立てられている。
【０００９】
なお、一方のプレート１３は、取付け面３に予め固定されている基準ピン１７に着脱自在に嵌まり合うために、両端部において位置決め孔１８を有している。
【００１０】
また、くさび９は、リニアガイド収容空間６の内部に納められ、リニアガイド収容空間６の内部の高さ寸法よりもやや小さい台形状であり、一方の斜面１０を斜面８に当接させ、他方の締め付け面１１を基準面７に対向させた状態で、ジグ本体５に回転自在に設けられた締め付けボルト１２によって締め付け方向、つまり取付け面３から離れる方向に移動可能となっている。
【００１１】
締め付けボルト１２は、ジグ本体５（プレート１３）の挿入孔１９に対し回転自在に挿入され、先端部のおねじ２０の部分でくさび９に形成されためねじ２１にねじ込まれている。なお、プレート１４は、固定ねじ４と対応する位置で、締め付け孔２２を形成している。
【００１２】
リニアガイド２を部品の取付け面３に対し複数の固定ねじ４により取付けるとき、まず、作業員は、リニアガイド２を取付け面に対し当てがい、複数の固定ねじ４を取付け面３のねじ孔２３にゆるくねじ込んで、リニアガイド２を位置調整かつ矯正可能な状態としてから、リニアガイド取付けジグ１をリニアガイド２の取付け面３に当てがい、位置決めピン１７に対し位置決め孔１８を挿入することによって、リニアガイド取付けジグ１をリニアガイド２の取付け面３に対し正確に位置決め状態とする。この位置決め状態で、くさび９の締め付け面１１と基準面７とは、それらの間にリニアガイド２を収納する空間を残しながら、対向している。
【００１３】
なお、作業員は、必要に応じて、ワッシャー２４および仮固定ねじ２５を用いて、仮固定ねじ２５を基準ピン１７のねじ孔２６にねじ込んで、締め付ける。これにより、ジグ本体５は、取付け面３の部材に対して確実にかつ正確に固定される。
【００１４】
位置決め状態で、リニアガイド２は、リニアガイド収容空間６の内部に収まり、リニアガイド収容空間６の基準面７とくさび９の締め付け面１１との間に位置している。ここで、作業員は、複数の締め付けボルト１２を回転させ、くさび９を締め付け方向に移動させる。このとき、くさび９は、斜面８と斜面１０との斜面の作用によって、基準面７と締め付け面１１との間でリニアガイド２を挟み込み、かつリニアガイド２を基準面７に対し強く押し当てる方向の力を作用させ、リニアガイド２の反りやねじりを矯正する。
【００１５】
このように、リニアガイド２は、ジグ本体５の基準面７に強く押し当てられることによって、ジグ本体５の基準面７に対し正確に直線状態として矯正される。もちろん、ジグ本体５は、高精度の直線性をもち、矯正時に発生する力によっても変形しない剛性をもつものでなければならない。
【００１６】
このような矯正状態で、作業員は、複数の固定ねじ４を順次少しずつ締め付けることによって、リニアガイド２を矯正した状態で、リニアガイド２を取付け面３に対し締め付け工具を用い、締め付け孔２２から、強く締め付ける。このようにして、リニアガイド２は、反りやねじれを矯正された状態で、取付け面３に対し正確に直線状態として取り付けられる。リニアガイド２の取り付け後、リニアガイド取付けジグ１は、取付け面３から取り外される。
【００１７】
上記の例で、ジグ本体５は、２つのプレート１３、１４を組み合わせて構成されているが、ジグ本体５は、１つの部材により構成することもできる。また、図示の例で、ジグ本体５は、リニアガイド２をＴ字状に取付けるために、平面的に見て、Ｔ字状として構成されているが、複数のリニアガイド２の取付け態様に応じて、単なる直線状として、あるいは平行なリニアガイド２の取付けのために、Ｈ字状として組み立てられる。
【００１８】
また、固定ねじ４は、図３で、上からではなく、取付け面３の部材に対し下方から挿入することもできるから、締め付け孔２２は、なくてもよい。
【００１９】
【発明の効果】
本発明によれば、リニアガイドの取付け部品（取付け面）ごとに基準ガイドなどの加工や特別な部品の取付けが不必要となるため、加工コストや取り付けのための部品のコストが削減でき、またくさびの移動により、リニアガイドを基準面に押し当てて、リニアガイドを矯正状態で組み付けるため、リニアガイドの反りやねじれを矯正でき、しかもその矯正過程で、斜面やねじ機構によって、比較的小さな力で大きな矯正力が得られるため、その矯正作業も軽い力で簡単に行える。
【図面の簡単な説明】
【図１】  本発明によるリニアガイド取付けジグの平面図である。
【図２】  本発明によるリニアガイド取付けジグの側面図である。
【図３】  本発明のリニアガイド取付けジグの拡大断面図である。
【符号の説明】
１  リニアガイド取付けジグ
２  リニアガイド
３  取付け面
４  固定ねじ
５  ジグ本体
６  リニアガイド収容空間
７  基準面
８  斜面
９  くさび
１０  斜面
１１  締め付け面
１２  締め付けボルト
１３  プレート
１４  プレート
１５  取付けねじ
１６  角度ジグ
１７  基準ピン
１８  位置決め孔
１９  挿入孔
２０  おねじ
２１  めねじ
２２  締め付け孔
２３  ねじ孔
２４  ワッシャー
２５  仮固定ねじ
２６  ねじ孔
【図１】
0003827287.tif 000002
【図２】
0003827287.tif 000003
【図３】
0003827287.tif 000004